(57)【特許請求の範囲】
【請求項１】
連続する複数の帳票紙片を備え、各帳票紙片が蛇腹状に折り重ねられるものであって、ＩＣチップと該ＩＣチップに接続されたアンテナとを備えてなるＲＦＩＤラベルが、各帳票紙片の一側紙面に夫々貼付された帳票連続紙において、
前記帳票紙片に貼付されるＲＦＩＤラベルの、該帳票紙片に対する貼付位置が、一つ置きの帳票紙片相互で異なるようにし、
さらに一つ置きの帳票紙片相互で異なるＲＦＩＤラベルの貼付位置は、複数の帳票紙片を蛇腹状に折り重ねた状態で、少なくとも各ＲＦＩＤラベルのＩＣチップが重ならない位置であると共に、
隣接する一対の帳票紙片相互で、該帳票紙片に対するＲＦＩＤラベルの貼付位置を同一とし、さらに、前記一対の帳票紙片を、該一対の帳票紙片と前記ＲＦＩＤラベルの貼付位置が相互に異なる他の一対の帳票紙片と連続させてなるものであることを特徴とする帳票連続紙。
【発明の詳細な説明】
【技術分野】
【０００１】
本発明は、ＲＦＩＤラベルを貼付する帳票紙片が複数連続されてなる帳票連続紙に関する。
【背景技術】
【０００２】
複数の帳票紙片が連続されてなる帳票連続紙は、山折りと谷折りとが交互に繰り返されて、該複数の帳票紙片が蛇腹状に折り重ねられるものが知られている。帳票連続紙は、蛇腹状に折り重ねられた状態で、保管されたり運搬される。こうした帳票連続紙は、各帳票紙片が切り取られて使用されるものであり、各帳票紙片にＲＦＩＤラベルやカード等が貼付されて使用される場合がある。ここで、図１１に、ＲＦＩＤラベル１１１が貼付された帳票連続紙１０１を例示する。この帳票連続紙１０１は、長尺帯状をなし、その長手方向に一定間隔をおいて複数形成されれたミシン目１０４を介して矩形状の帳票紙片１０５が複数連続してなるものである。そして、各帳票紙片１０５には、夫々を画成する二つのミシン目１０４の一方寄り位置に、ＲＦＩＤラベル１１１が夫々貼付される。ＲＦＩＤラベル１１１としては、図示しないＩＣチップとアンテナとを備えたＲＦＩＤインレット１１２が粘着シート（図示せず）により被着されたものが知られている（図５参照）。こうしたＲＦＩＤラベル１１１を貼付した帳票紙片１０５は、そのＲＦＩＤインレット１１２が所定の通信装置（入出力装置）と非接触で通信可能であることから、近年、交通・レジャー分野、物流分野、セキュリティー分野、工場生産分野などの幅広い分野で導入されている。
【０００３】
一方、上記の帳票連続紙を構成する各帳票紙片に夫々カードが貼付された構成として、例えば特許文献１が提案されている。かかる構成は、各帳票紙片に、カードを貼付すると共に、該カードの厚みと同一のシート片を貼付するようにしたものであり、該シート片によって、複数の帳票紙片を折り重ねた状態で各帳票紙片のカードが重なって局部的に厚くなることを防止でき、保管時や運搬時などにおける作業性を向上できる。
【先行技術文献】
【特許文献】
【０００４】
【特許文献１】特許第３３１０３４１号公報
【発明の概要】
【発明が解決しようとする課題】
【０００５】
ところで、上述したＲＦＩＤラベル１１１を夫々貼付した帳票連続紙１０１にあっては、図１１のように、各帳票紙片１０５において該ＲＦＩＤラベル１１１を貼付する貼付位置が予め定められており、該貼付位置が全ての帳票紙片１０５で同じ位置に設定されている。こうした従来構成の帳票連続紙１０１は、各ミシン目１０４の山折りと谷折りとを交互に繰り返すことによって、図１２のように複数の帳票紙片１０５を蛇腹状に折り重ねた場合に、重ね合わせた上下方向で複数のＲＦＩＤラベル１１１が重なり、該ＲＦＩＤラベル１１１の重なった部位が局部的に厚くなる。これは、ＲＦＩＤインレット１１２を構成するＩＣチップが所定厚みを有しており、該ＲＦＩＤインレット１１２が上下方向で複数重なることに因る。このように複数のＲＦＩＤインレット１１２が上下方向で重なった場合、各ＲＦＩＤインレット１１２のＩＣチップの厚みや重量により、該ＩＣチップが上下方向から圧力を受け、該ＩＣチップが破損してしまう虞がある。さらに、前記のように折り重ねた状態の帳票連続紙１０１を、保管や運搬等のために、複数積み上げた場合には、前記したＲＦＩＤインレット１１２のＩＣチップが受ける圧力が一層大きくなることから、前記ＩＣチップの破損という問題が一層懸念される。また、前記のように局部的に厚くなると、折り重ねた帳票連続紙１０１を複数積み上げた場合に、該積み上げた状態が崩れ易くなり、保管や運搬の際の作業性に問題が生じる虞がある。
【０００６】
一方、帳票紙片にＲＦＩＤラベルを貼付する構成に、上述した特許文献１の構成を適用することも考えられる。この場合には、各帳票紙片に、ＲＦＩＤラベルを貼付すると共に、該ＲＦＩＤラベルと同じ厚みのシート片を貼付する。こうした構成によれば、局部的に厚くなることを防ぐことができ、カードを貼付する場合と同様に、保管時や運搬時の作業性を向上できるという作用効果を奏し得る。しかしながら、この構成の場合には、シート片を別途貼付する必要があることから、該シート片のコストアップと、該シート片を取り付ける工程の増加などが生じ、生産性が低減する。さらに、複数の帳票紙片を重ね合わせた状態では、上下方向で重なる各ＲＦＩＤラベルのＩＣチップが、夫々の該ＩＣチップの重量による圧力を受けることに変わりは無い。そのため、上述したＩＣチップの破損という問題は依然として残る。
【０００７】
本発明は、上述した問題点を解決するものであって、蛇腹状に折り重ねた状態でＲＦＩＤラベルのＩＣチップが受ける圧力を低減し、そのＩＣチップの破損を抑制することができる帳票連続紙を提案するものである。
【課題を解決するための手段】
【０００８】
本発明は、連続する複数の帳票紙片を備え、各帳票紙片が蛇腹状に折り重ねられるものであって、ＩＣチップと該ＩＣチップに接続されたアンテナとを備えてなるＲＦＩＤラベルが、各帳票紙片の一側紙面に夫々貼付された帳票連続紙において、前記帳票紙片に貼付されるＲＦＩＤラベルの、該帳票紙片に対する貼付位置が、一つ置きの帳票紙片相互で異なるようにしたものであることを特徴とする帳票連続紙である。
【０００９】
ここで、本発明には、ＲＦＩＤラベルが帳票連続紙の全ての帳票紙片に貼付される場合に加え、例えば、一置きの帳票紙片にＲＦＩＤラベルが貼付される場合をも含む。また、「複数の帳票紙片が蛇腹状に折り重ねられる」とは、隣合う帳票紙片の間で山折りと谷折りとを交互に繰り返すことによって、複数の帳票紙片が折り重ねられることをいう。こうして蛇腹状に折り重ねられた状態では、隣合う帳票紙片相互が表裏逆向きとなると共に、一つ置きの帳票紙片相互が同じ向きとなる。そのため、上述した従来構成（図１１，１２参照）のように、全ての帳票紙片で同一位置にＲＦＩＤラベルを貼付した場合には、該ＲＦＩＤラベルの貼付位置が、一つ置きの帳票紙片相互で同じとなる。本発明の発明者らは、こうした知見を鋭意研鑽によって見出し、該知見に基づいて本発明に至った。
【００１０】
すなわち、本発明の構成では、一つ置きの帳票紙片相互でＲＦＩＤラベルの貼付位置を異ならせることによって、蛇腹状に折り重ねた場合に、上下方向で重なるＲＦＩＤラベルの数を少なくできるようにした。これにより、上下方向で重なるＲＦＩＤラベル同士の間に介在される帳票紙片の数が、上述した従来構成（図１１，１２参照）に比して増加する。ＲＦＩＤラベル間に介在する帳票紙片は、該ＲＦＩＤラベル（ＩＣチップ）間の緩衝材として働き、その緩衝作用が帳票紙片の増加に従って高くなる傾向にある。そのため、本発明の構成では、上下方向で重なるＲＦＩＤラベル（ＩＣチップ）が受ける圧力を、上述の従来構成に比して低減することができる。したがって、本発明の構成によれば、複数の帳票紙片を蛇腹状に折り重ねた状態で、上下方向で重なるＲＦＩＤラベルのＩＣチップが破損することを、可及的に抑制できる。
【００１１】
また、本発明の構成は、一つ置きの帳票紙片相互でＲＦＩＤラベルの貼付位置が異なることから、蛇腹状に折り重ねた状態で、局所的に厚くなることを抑制することができる。これにより、保管時や運搬時などでの作業性を改善することもできる。
【００１２】
さらに、本発明の構成は、一つ置きの帳票紙片相互でＲＦＩＤラベルの貼付位置を異なるようにしたものであり、ＲＦＩＤラベルとしては従来から公知の構成のものを適用可能である。そのため、帳票連続紙の製造工程にあって、ＲＦＩＤラベルの貼付位置を変更することのみを要し、その他の様々な仕様変更などを必ずしも必要としない。したがって、本発明の帳票連続紙は、比較的容易かつ安定して製造できるという優れた利点も有する。
【００１３】
上述した本発明の帳票連続紙にあって、一つ置きの帳票紙片相互で異なるＲＦＩＤラベルの貼付位置は、複数の帳票紙片を蛇腹状に折り重ねた状態で、少なくとも各ＲＦＩＤラベルのＩＣチップが重ならない位置である構成が提案される。
【００１４】
かかる構成にあっては、蛇腹状に折り重ねた状態で、一つ置きの帳票紙片相互でＩＣチップが上下方向で重ならないことから、上述したように該ＩＣチップの破損を抑制するという作用効果を奏し得る。そのため、一つ置きの帳票紙片では、相互のＩＣチップが上下方向で重ならなければ、相互のＲＦＩＤラベルが上下方向で部分的に重なるように、各帳票紙片における該ＲＦＩＤラベルの貼付位置を設定することが可能である。
【００１５】
上述した本発明の帳票連続紙にあって、隣接する一対の帳票紙片相互で、該帳票紙片に対するＲＦＩＤラベルの貼付位置を同一とし、さらに、前記一対の帳票紙片を、該一対の帳票紙片と前記ＲＦＩＤラベルの貼付位置が相互に異なる他の一対の帳票紙片と連続させてなるものである構成が提案される。
【００１６】
かかる構成によれば、一つ置きの帳票紙片相互でＲＦＩＤラベルの貼付位置が異なることから、上述した本発明の作用効果が安定して発揮され得る。また、本構成は、一対の帳票紙片と他の一対の帳票紙片とが交互に繰り返されるようにＲＦＩＤラベルを貼付することによって製造できるため、貼付位置の設定変更も最小限ですみ、製造工程の設定に要するコストを可及的に抑制することが可能である。
【００１７】
上述した本発明の帳票連続紙にあって、三つ以上の所定数の帳票紙片が連続する一組の帳票紙片の、その各帳票紙片相互で、該帳票紙片に対する夫々のＲＦＩＤラベルの貼付位置を異なるようにし、さらに、該一組の帳票紙片を複数連続させてなるものである構成が提案される。ここで、一組の帳票紙片を構成する各帳票紙片は、その相互で夫々のＲＦＩＤラベルの貼付位置が異なることから、
【００１８】
かかる構成にあって、一組の帳票紙片を構成する各帳票紙片は、その相互で夫々のＲＦＩＤラベルの貼付位置が異なる。これにより、一つ置きの帳票紙片相互でＲＦＩＤラベルの貼付位置が異なることから、上述した本発明の作用効果が安定して発揮され得る。また、本構成は、所定数の帳票紙片が連続する一組の帳票紙片を、繰り返し連続するように、ＲＦＩＤラベルの貼付位置を設定することによって製造できることから、該貼付位置の設定変更が比較的容易であり、製造工程の設定に要するコストを可及的に抑制することが可能である。
【発明の効果】
【００１９】
本発明の帳票連続紙は、上述したように、帳票紙片に貼付されるＲＦＩＤラベルの、該帳票紙片に対する貼付位置が、一つ置きの帳票紙片相互で異なるようにしたものであるから、複数の該帳票紙片を蛇腹状に折り重ねた場合に、上下方向の同じ位置で重なるＲＦＩＤラベルの数を、上述した従来構成に比して低減できる。これにより、前記蛇腹状に折り重ねた状態で、上下方向で重なるＲＦＩＤラベル間に介在する帳票紙片の数を増加し、該帳票紙片の緩衝作用によって、該ＲＦＩＤラベルのＩＣチップが破損することを可及的に抑制できる。
【図面の簡単な説明】
【００２０】
【図１】実施例１の帳票連続紙１を示す平面図である。
【図２】ミシン目４の山折りと谷折りとを交互に繰り返す状態を示す説明図である。
【図３】複数の帳票紙片５ａ，５ｂを蛇腹状に折り重ねた状態を示す説明図である。
【図４】図３のＸ部拡大図である。
【図５】ＲＦＩＤラベル１１の、粘着シート１３の一部分を切り欠いた平面図である。
【図６】帳票紙片の基材の緩衝作用を検証した実験結果を示す図表である。
【図７】実施例２の帳票連続紙５１を示す平面図である。
【図８】複数の帳票紙片５５ａ〜５５ｃを蛇腹状に折り重ねた状態を示す説明図である。
【図９】図８のＹ部拡大図である。
【図１０】別例の帳票連続紙８１を示す平面図である。
【図１１】従来構成の帳票連続紙１０１を示す平面図である。
【図１２】従来構成の、帳票紙片１０５を蛇腹状に折り重ねた状態を示す説明図である。
【発明を実施するための形態】
【００２１】
本発明にかかる実施形態を、以下の実施例１，２に従って説明する。
以下の実施例１，２にあって、帳票連続紙の長手方向が、複数の帳票紙片を連続する方向であり、該長手方向と直交する方向が該帳票連続紙および帳票紙片の幅方向である。また、個々の帳票紙片にあって、前記の連続する方向を前後方向として説明する。また、帳票連続紙の各帳票紙片を蛇腹状に折り重ねた状態で、複数の帳票紙片が積み重ねられた方向を、上下方向として説明する。尚、本発明は、こうして定めた方向にのみ限定されて使用されるものではない。
また、後述する「上下方向に重なる」とは、蛇腹状に折り重ねられた状態で、上下方向に積層された各帳票紙片の紙面上における位置が略一致することにより、上下方向で隣接して重なること、又は、上下方向で所定間隔をおいて重なることを言う。
【実施例１】
【００２２】
実施例１の帳票連続紙１は、上質紙等からなる長尺帯状の矩形紙からなる。帳票連続紙１には、図１のように、その幅方向に横断する複数のミシン目４が、長手方向で一定間隔をおいて形成されている。ミシン目４は折り曲げ可能且つ切断可能に形成され、隣合う二つのミシン目４，４で区切られる部位により矩形状の帳票紙片５ａ，５ｂが夫々構成される。このように帳票連続紙１は、ミシン目４を介して複数の帳票紙片５ａ，５ｂが連続してなるものである。
【００２３】
帳票連続紙１は、図２のように複数のミシン目４が交互に山折りと谷折りとを繰り返されることにより、図３のように、連続する複数の帳票紙片５ａ，５ｂを蛇腹状に折り重ねることができる。このように蛇腹状に折り重ねることにより、保管スペースや運搬作業などで有利となることから、保管時や運搬時の作業性を向上できるという利点がある。
【００２４】
尚、帳票連続紙１は、各帳票紙片５ａ，５ｂ毎に、その表紙面または／および裏紙面にプリンタなどで所定の情報が印刷される。そして、ミシン目４を切断することにより、帳票紙片５を切り離して使用することができる。尚、こうした帳票連続紙１には、従前から公知のものを適用できることから、その詳細については省略する。
【００２５】
本実施例１にあって、帳票連続紙１には、連続する各帳票紙片５ａ，５ｂにＲＦＩＤラベル１１が貼付される。ＲＦＩＤラベル１１は、図５のように、ＲＦＩＤインレット１２と粘着シート１３とから構成されている。ここで、ＲＦＩＤインレット１２は、図示しない合成樹脂製フィルム上に、ＩＣチップ１５と該ＩＣチップ１５に接続されたアンテナ１６とが配設されてなる。このＲＦＩＤインレット１２は、図示しない入出力装置（リーダ・ライタ装置）との間で、電磁波を利用してコマンドやデータ等の信号を非接触で送受信できる非接触型の電池レスタイプであり、前記ＩＣチップ１５が具備するメモリに、前記入出力装置と交信されるコマンドやデータ等が記憶される。前記アンテナ１６には、ダイポールアンテナやメアンダラインアンテナ等の小型のものを適用できる。そして、このアンテナ１６は、ＲＦＩＤインレット１２の通信に使用する電磁波に応じて、そのアンテナ長さなどが適宜設定される。
【００２６】
上記の粘着シート１３は、矩形状の合成樹脂製フィルムの片側全面に、ほぼ均一な厚みで粘着剤が塗布されてなるものである。そして、粘着シート１３は、その面積が上記のＲＦＩＤインレット１２よりも大きいサイズとなるように設定されている。こうした粘着シート１３が、その粘着剤の塗布面をＲＦＩＤインレット１２に対面するようにして、該ＲＦＩＤインレット１２に被着されることによって、上記のＲＦＩＤラベル１１が構成されている。尚、ＲＦＩＤラベル１１には、従前から公知のものを適用できることから、その詳細については省略する。
【００２７】
ここで、本実施例１に用いる全てのＲＦＩＤラベル１１は、粘着シート１３の略中央部分にＲＦＩＤインレット１２が配置されている。そのため、後述するように複数のＲＦＩＤラベル１１が上下方向で重なった場合には、これらＲＦＩＤラベル１１を構成する夫々のＲＦＩＤインレット１２およびＩＣチップ１５が上下方向で重なる。
【００２８】
このようなＲＦＩＤラベル１１は、図１のように、上記の帳票連続紙１を構成する各帳票紙片５ａ，５ｂの表紙面（又は裏紙面）に夫々一個づつ貼付される。本実施例１では、各帳票紙片５ａ，５ｂにＲＦＩＤラベル１１を夫々貼付する位置として、相互に異なる二つの貼付位置３１ａ，３１ｂが位置設定されている。そして、一のミシン目４を介して隣接する一対の第一帳票紙片５ａ，５ａに、前記貼付位置３１ａ，３１ａが夫々設定され、また、他のミシン目４を介して隣接する他の一対の第二帳票紙片５ｂ，５ｂに、前記貼付位置３１ｂ，３１ｂが夫々設定されている。すなわち、一対の第一帳票紙片５ａ，５ａでは、その各紙面上の同一位置に貼付位置３１ａ，３１ａが定められ、一対の第二帳票紙片５ｂ，５ｂでは、その各紙面上の同一位置に貼付位置３１ｂ，３１ｂが定められている。本実施例１の帳票連続紙１は、こうした一対の第一帳票紙片５ａ，５ａと一対の第二帳票紙片５ｂ，５ｂとが交互に連続されてなるものであり、各第一帳票紙片５ａの貼付位置３１ａと各第二帳票紙片５ｂの貼付位置３１ｂとにＲＦＩＤラベル１１が夫々貼付されてなる。
【００２９】
ここで、ＲＦＩＤラベル１１の貼付位置３１ａ，３１ｂは、各帳票紙片５ａ，５ｂの紙面上に設定された位置であり、いずれも、帳票紙片５ａ，５ｂを区画する隣合う二つのミシン目４，４のうち、一方のミシン目４寄りに設定される。すなわち、各帳票紙片５ａ，５ｂには、その前後方向で同じ側にあるミシン目４寄りに、ＲＦＩＤラベル１１が夫々貼付される。一対の第一帳票紙片５ａ，５ａに設定される貼付位置３１ａは、前記一方のミシン目４に近接する所定の位置に定められている。また、一対の第二帳票紙片５ｂ，５ｂに設定される貼付位置３１ｂは、前記帳票紙片５ａの貼付位置３１ａよりも前記一方のミシン目４から離れた位置に定められており、該貼付位置３１ａよりも中央寄りである。これにより、第一帳票紙片５ａの貼付位置３１ａと第二帳票紙片５ｂの貼付位置３１ｂとは、相互に、前後方向で異なる位置となっている。そのため、貼付位置３１ａに貼付されたＲＦＩＤラベル１１のＲＦＩＤインレット１２およびＩＣチップ１５と、貼付位置３１ｂに貼付されたＲＦＩＤラベル１１のＲＦＩＤインレット１２およびＩＣチップ１５とは、相互に、夫々の帳票紙片５ａ，５ｂの紙面上で異なる位置に配置される。尚、本実施例１では、仮に帳票紙片５ａ，５ｂを、前後方向の位置関係が互いに同じ向きとなるように、上下で重ねた場合に、貼付位置３１ａに貼付したＲＦＩＤラベル１１と、貼付位置３１ｂに貼付したＲＦＩＤラベル１１とが、上下方向で全く重ならないように、各貼付位置３１ａ，３１ｂが設定されている（図４参照）。
【００３０】
本実施例１の帳票連続紙１は、上述したように一対の第一帳票紙片５ａ，５ａと一対の第二帳票紙片５ｂ，５ｂとが交互に連続したものであるから、第一帳票紙片５ａと第二帳票紙片５ｂとが一つ置きに繰り返し存在している。尚、一対の第一帳票紙片５ａ，５ａにより、本発明の一対の帳票紙片が構成され、一対の第二帳票紙片５ｂ，５ｂにより、本発明の他の一対の帳票紙片が構成される。また、帳票紙片５ａ，５ｂにあって、ＲＦＩＤラベル１１が貼付される表紙面（又は裏紙面）が、本発明にかかる帳票紙片の一側紙面である。
【００３１】
上述したように帳票連続紙１の各帳票紙片５ａ，５ｂを蛇腹状に折り重ねると、図３のように、隣接する一対の第一帳票紙片５ａ，５ａ同士では、互いの表紙面が対面して重なる（又は、互いの裏紙面が対面して重なる）ことから、両者の前後方向の位置関係が互いに逆向きとなる。そのため、隣接する一対の第一帳票紙片５ａ，５ａに夫々貼付されたＲＦＩＤラベル１１，１１は、上下方向で重ならない。同様に、隣接する一対の第二帳票紙片５ｂ，５ｂ同士にあっても、両者の前後位置関係が逆になることから、これらに夫々貼付されたＲＦＩＤラベル１１，１１は、上下方向で重ならない。さらに同様に、隣接する第一帳票紙片５ａと第二帳票紙片５ｂ同士にあっても、両者の前後位置関係が逆になることから、これらに夫々貼付されたＲＦＩＤラベル１１，１１は、上下方向で重ならない。
【００３２】
また、上述のように蛇腹状に折り重ねた状態で、一つ置きの第一帳票紙片５ａと第二帳票紙片５ｂとは、図３，４のように、両者の前後方向の位置関係が互いに同じ向きとなる。ここで、第一帳票紙片５ａの貼付位置３１ａと第二帳票紙片５ｂの貼付位置３１ｂとは、上述したように前後方向で互いに異なる。そのため、蛇腹状に折り重ねた状態で前後方向の位置関係が互いに同じ向きとなる第一帳票紙片５ａと第二帳票紙片５ｂとにあっても、該第一帳票紙片５ａに貼付されたＲＦＩＤラベル１１と該第二帳票紙片５ｂに貼付されたＲＦＩＤラベル１１とは、上下方向で重ならない。  
【００３３】
さらに、上述のように蛇腹状に折り重ねた状態では、一つ置きに配された各帳票紙片５ａ，５ｂが前後方向で互いに同じ向きとなる。すなわち、一対の第一帳票紙片５ａ，５ａと、これと連続する一対の第二帳票紙片５ｂ，５ｂを隔てた一対の第一帳票紙片５ａ，５ａとは、夫々の前後方向の位置関係が互いに同じ向きとなる。同様に、一対の第二帳票紙片５ｂ，５ｂと、これと連続する一対の第一帳票紙片５ａ，５ａを隔てた一対の第二帳票紙片５ｂ，５ｂとは、夫々の前後方向の位置関係が互いに同じ向きとなる。このように前後方向で互いに同じ向きとなる各第一帳票紙片５ａ，５ａでは、夫々の貼付位置３１ａ，３１ａに貼付されたＲＦＩＤラベル１１（ＩＣチップ１５）が上下方向で重なり、前後方向で互いに同じ向きなる各第二帳票紙片５ｂ，５ｂでは、夫々の貼付位置３１ｂ，３１ｂに貼付された貼付されたＲＦＩＤラベル１１（ＩＣチップ１５）が上下方向で重なる。
【００３４】
そして、前後方向で互いに同じ向きとなる二つの第一帳票紙片５ａ，５ａの上下間には、一対の第二帳票紙片５ｂ，５ｂと一の第一帳票紙片５ａとの三つが介在する。そのため、これら二つの第一帳票紙片５ａ，５ａに夫々貼付されて上下方向に重なるＲＦＩＤラベル１１，１１の上下間には、該帳票紙片５ａ，５ｂの基材（紙材）が四枚介在する。同様に、前後方向で互いに同じ向きとなる二つの第二帳票紙片５ｂ，５ｂの上下間には、一対の第一帳票紙片５ａ，５ａと一の第二帳票紙片５ｂとの三つが介在し、夫々に貼付されて上下方向で重なるＲＦＩＤラベル１１，１１の上下間には、基材が四枚介在する。尚、介在する基材には、一方のＲＦＩＤラベル１１が貼付された基材をも含めている。
【００３５】
ここで、上述した本実施例１の構成を、上述した従来構成の帳票連続紙１０１と比較する。
従来構成の帳票連続紙１０１は、図１１のように、実施例１と同様、上質紙等からなる長尺状の矩形紙からなり、ミシン目１０４を介して複数の帳票紙片１０５が連続してなるものである。そして、各帳票紙片１０５には、該帳票紙片１０５を区画する隣合う二つのミシン目１０４，１０４のうち、一方のミシン目１０４寄りの位置に、ＲＦＩＤラベル１１１の貼付位置（図示せず）が定められている。この貼付位置は、前記一方のミシン目４と近接する位置に設定されており、全ての帳票紙片１０５で同じ位置となっている。尚、この従来構成は、実施例１との比較する関係上、ＲＦＩＤラベル１１１の貼付位置を全ての帳票紙片１０５で同じ位置とした以外は該実施例１と同じ構成としている。こうした従来構成にあって、複数の帳票紙片１０５を蛇腹状に折り重ねると、図１２のように、一つ置きの帳票紙片１０５，１０５で夫々のＲＦＩＤラベル１１１（ＲＦＩＤインレット１１２のＩＣチップ）が上下方向で重なる。この場合には、上下方向で重なるＲＦＩＤラベル１１１，１１１の上下間に、帳票紙片１０５の基材が二枚介在する。
【００３６】
上述した実施例１の構成では、蛇腹状に折り重ねた状態で、上下方向に重なるＲＦＩＤラベル１１，１１間に介在する基材（帳票紙片５ａ，５ｂの紙材）が四枚であり、一方、上述した従来構成では、上下方向に重なるＲＦＩＤラベル１１１，１１１間に介在する基材（帳票紙片１０５の紙材）が二枚である。このように介在する基材数と、上下方向に重なるＲＦＩＤラベルが受ける圧力との関係を、実験により確認した。
【００３７】
本実験は、ＲＦＩＤラベルを上質紙で挟み込んだサンプルを用い、該サンプル上から圧力を加えて、該ＲＦＩＤラベルのＩＣチップが破損する荷重を測定することによって行った。ここで、サンプル（試料）には、一枚の上質紙の紙面上にＲＦＩＤラベルを貼付し、さらに、その上下両側から挟むようにして上質紙を積み重ねたものを用い、上下から挟む上質紙の枚数が異なる三種類を使用した。詳細は、下記（１）〜（３）の通りである。また、圧力を加える機器は、デジタルフォースゲージを用い、そのプローブ先端に直径２ｍｍの鋼球を取り付けて使用した。
（１）サンプルＡ：上下から挟む上質紙枚数が各１枚
（２）サンプルＢ：上下から挟む上質紙枚数が各３枚
（３）サンプルＣ：上下から挟む上質紙枚数が各５枚
尚ここで、上質紙には、連量８６ｋｇ、厚み１００μｍのものを使用し、ＲＦＩＤラベルのＲＦＩＤインレットには、「ＳＭＡＲＴＲＡＣ  Ｂｅｌｔ  ｉＭ  ＰＡＰＥＲＦＡＣＥ」を使用した。
本実験の実験方法としては、試験テーブル上の所定位置に前記サンプルを載置し、その上側から、前記機器により鋼球を押しつけて点圧を加える。この際に、前記サンプルのＲＦＩＤラベルのＩＣチップ直上から前記鋼球を押しつける。そして、実験中には、所定の入力装置（リーダ装置）によりＩＣチップから所定信号を連続的に読み取り、該読み取りができなくなったときを、ＩＣチップの破壊とし、その時の荷重を測定した。ここで、ＩＣチップは、実験後に、破壊されていることを確認している。尚、各サンプルＡ，Ｂ，Ｃの試料数を５個（ｎ数＝５）としている。
本実験の結果を図６に示す。実験結果の破壊荷重は、ｎ数＝５の平均値である。この実験結果では、サンプルＡの破壊荷重が最も低く、サンプルＣの破壊荷重が最も高い。そして、ＲＦＩＤラベルを上下から挟み込む上質紙の枚数が増加するに伴って、ＩＣチップの破壊荷重が高くなっていく傾向を示している。これにより、ＲＦＩＤラベルを上下から挟み込む上質紙が緩衝材として働き、該上質紙の枚数を増やすことによって緩衝作用が大きくなる傾向を示すことがわかる。
【００３８】
こうした実験結果によれば、上述のように複数の帳票紙片を蛇腹状に折り重ねた場合に、ＲＦＩＤラベル間に介在する該帳票紙片の基材数が増えるに従って、該ＲＦＩＤラベルのＩＣチップが上下方向から受ける圧力を、緩和する効果が高くなることがわかる。すなわち、本実施例１の構成では、上述の従来構成（図１１，１２）に比して、上下方向で重なるＲＦＩＤラベル１１，１１間に介在する基材数が二倍に増加することから、蛇腹状に折り重ねた状態でＲＦＩＤラベル１１のＩＣチップ１５が上下方向から受ける圧力を低減することができる。
【００３９】
上述したように本実施例１の構成は、一対の第一帳票紙片５ａと一対の第二帳票紙片５ｂとを交互に連続させたものであり、第一帳票紙片５ａと第二帳票紙片５ｂ相互で異なる貼付位置３１ａ，３１ｂに夫々ＲＦＩＤラベル１１が貼付されることから、一つ置きの帳票紙片５ａ，５ｂ相互でＲＦＩＤラベル１１の貼付位置が異なる。本構成によれば、各帳票紙片５ａ，５ｂを蛇腹状に折り重ねた状態で、一つ置きの帳票紙片５ａ，５ｂは前後方向の位置関係が互いに同じ向きとなるものの、貼付位置３１ａ，３１ｂが異なることから、夫々に貼付したＲＦＩＤラベル１１，１１が上下方向で重ならない。そして、本実施例１の構成では、前後方向の位置関係が互いに同じ向きとなる第一帳票紙片５ａ，５ａ間または第二帳票紙片５ｂ，５ｂ間に、三つの帳票紙片５ａ，５ｂが介在することから、上下方向で重なるＲＦＩＤラベル１１，１１間には四枚の基材（帳票紙片の紙材）が介在し、該介在する基材数が上述した従来構成に比して増加する。このように本実施例１の構成によれば、各帳票紙片５ａ，５ｂを蛇腹状に折り重ねた状態で、上下方向で重なるＲＦＩＤラベル１１の数を少なくすることができ、各ＲＦＩＤラベル１１のＩＣチップ１５に上下方向から作用する圧力を低減できる。したがって、前記蛇腹状に折り重ねた場合に、各ＲＦＩＤラベル１１のＩＣチップ１５が前記圧力により破損してしまうことを、可及的に抑制できる。
さらに、本実施例１の構成では、各帳票紙片５ａ，５ｂに設定した貼付位置３１ａ，３１ｂが、前後方向の一方のミシン目４寄りに設定されていることから、蛇腹状に折り重ねた場合に、隣合う帳票紙片５ａ，５ｂが互いに前後逆向きとなる。そのため、複数のＲＦＩＤラベル１１が上下方向で重なることによる局部的な厚み増加を抑制できる。さらに、これら貼付位置３１ａと貼付位置３１ｂとが、前後方向で異なる位置に夫々設定されていることから、前記した局部的な厚み増加を一層抑制できる。このように局部的な厚み増加を抑制できることによって、保管時や運搬時などで、蛇腹状に折り重ねた状態の帳票連続紙１を複数積み重ねた場合に、崩れ難くなり、該保管や運搬の際の作業性を向上できる。
【００４０】
尚、上述した本実施例１の帳票連続紙１は、帳票連続紙１を構成する長尺帯状の矩形紙に、一定間隔でミシン目４を形成し、予め製造されたＲＦＩＤラベル１１を、貼付位置３１ａ，３１ｂに夫々貼付することによって製造することができる。すなわち、ＲＦＩＤラベル１１を貼付位置３１ａ，３１ｂに貼り付ける工程以外は、従前の製造工程を適用可能である。そして、ＲＦＩＤラベル１１を貼付する工程では、所定の貼付装置を用い、前記貼付位置３１ａ，３１ｂをセットすることにより実施可能である。このように、本実施例１の帳票連続紙１は、製造に要するコスト上昇を抑制しつつ、比較的容易かつ安定して製造することが可能である。
【実施例２】
【００４１】
実施例２の帳票連続紙５１は、上述した実施例１と同様、長尺帯状の矩形紙からなり、図７のように、一定間隔をおいて複数形成されたミシン目４を介して複数の帳票紙片５５ａ〜５５ｃが連続してなる。尚、本実施例２の構成は、後述するように、各帳票紙片５５ａ〜５５ｃに貼付するＲＦＩＤラベル１１の貼付位置６１ａ〜６１ｃ以外は上述した実施例１と同じ構成であり、その詳細を適宜省略する。
【００４２】
実施例２では、相互に異なる三つの貼付位置６１ａ〜６１ｃが夫々設定された三つの帳票紙片５５ａ〜５５ｃを、ミシン目４を介して所定順序で連続し、さらに、この三つ連続する帳票紙片５５ａ〜５５ｃを一組として、該一組の帳票紙片５５ａ〜５５ｃを繰り返し連続してなる。そのため、隣合う帳票紙片相互と一つ置きの帳票紙片相互とで、ＲＦＩＤラベル１１の貼付位置６１ａ〜６１ｃが異なる。ここで、帳票紙片５５ａにおけるＲＦＩＤラベル１１の貼付位置６１ａは、該帳票紙片５５ａを区画する一方のミシン目４に近接する所定位置に設定される。また、帳票紙片５５ｂにおけるＲＦＩＤラベル１１の貼付位置６１ｂは、前記帳票紙片５５ａの貼付位置６１ａよりも、該帳票紙片５５ｂを区画する一方のミシン目４から離れた所定位置に設定される。また、帳票紙片５５ｃにおけるＲＦＩＤラベル１１の貼付位置６１ｃは、前記帳票紙片５５ｂの貼付位置６１ｂよりも、該帳票紙片５５ｃを区画する一方のミシン目４から離れた所定位置に設定される。こうした各貼付位置６１ａ〜６１ｃは、各帳票紙片５５ａ〜５５ｃにおける前後方向で相互に異なる位置となっており、いずれも、夫々の帳票紙片５５ａ〜５５ｃにおける前後方向中心よりも一方のミシン目４寄りにある。尚、本実施例２にあっても、仮に三枚の帳票紙片５５ａ〜５５ｃを、前後方向の位置関係が互いに同じ向きとなるように、上下で重ねた場合に、夫々に貼付した三枚のＲＦＩＤラベル１１が上下方向で全く重ならないように、各貼付位置６１ａ〜６１ｃが設定されている。
【００４３】
こうした帳票連続紙５１の各帳票紙片５５ａ〜５５ｃを蛇腹状に折り重ねると、図８，９のように、一つ置きの帳票紙片５５ａ，５５ｃと、一つ置きの帳票紙片５５ｂ，５５ａと、一つ置きの帳票紙片５５ｃ，５５ｂとでは、夫々の前後方向の位置関係が互いに同じ向きとなる。しかし、これら一つ置きの帳票紙片５５ａ〜５５ｃでは、相互の貼付位置６１ａ〜６１ｃが異なることから、夫々に貼付されたＲＦＩＤラベル１１が上下方向で重ならない。尚、隣接する帳票紙片５５ａ〜５５ｃ同士では、上述した実施例１と同様に、前後方向の位置関係が逆向きになることから、夫々に貼付されたＲＦＩＤラベル１１が上下方向で重ならない。
【００４４】
本実施例２の構成では、連続する三つの帳票紙片５５ａ〜５５ｃを一組とし、この一組の帳票紙片５５ａ〜５５ｃが繰り返し連続されたものであるから、前後方向の位置関係が互いに同じ向きとなる二つの帳票紙片５５ａ，５５ａ、二つの帳票紙片５５ｂ，５５ｂ、または二つの帳票紙片５５ｃ，５５ｃは、夫々の間に五つの帳票紙片５５ａ〜５５ｃが介在する。すなわち、蛇腹状に折り重ねた状態で、上下方向で重なる二つのＲＦＩＤラベル１１，１１間には、帳票紙片５５ａ〜５５ｃの基材（紙材）が六枚介在する。この場合には、上述した従来構成（図１１，１２参照）に比して、上下方向で重なる二つＲＦＩＤラベル１１間に介在する基材数が三倍となる。そのため、上述した実験結果（図６参照）により、従来構成に比して、上下方向に重なるＲＦＩＤラベル１１のＩＣチップ１５が受ける圧力を低減することができる。
【００４５】
このように本実施例２の帳票連続紙５１は、蛇腹状に折り重ねた状態で、上下方向で重なるＲＦＩＤラベル１１の数を少なくすることができることから、上下方向で重なる二つのＲＦＩＤラベル１１間に介在する帳票紙片５５ａ〜５５ｃが、上述した従来構成に比して増加する。そのため、帳票紙片５５ａ〜５５ｃの基材の緩衝作用によって、ＲＦＩＤラベル１１のＩＣチップ１５が上下方向から受ける圧力を緩和できる。したがって、前記蛇腹状に折り重ねた場合に、各ＲＦＩＤラベル１１のＩＣチップ１５が前記圧力により破損してしまうことを、可及的に抑制できる。さらに、本実施例２の構成は、上下方向で重なる二つのＲＦＩＤラベル１１間に介在する基材数が、上述した実施例１よりも多いことから、該ＲＦＩＤラベル１１のＩＣチップ１５が受ける圧力を一層低減でき、該ＩＣチップ１５の破損を防止する効果が一層向上する。
また、本実施例２の構成にあっても、上述した実施例１と同様に、上下方向で重なるＲＦＩＤラベル１１の数を少なくできることから、該ＲＦＩＤラベル１１が複数重なることによって生ずる局部的な厚みの増加を抑制できる。
このように本実施例２の構成にあっても、上述した実施例１と同様の作用効果を発揮することができる。
【００４６】
尚、本実施例２の帳票連続紙５１にあっては、ＲＦＩＤラベル１１の貼付位置６１ａ〜６１ｃを設定した以外は実施例１と同じであることから、上述した実施例１と同様に、製造に要するコスト上昇を抑制しつつ、比較的容易かつ安定して製造することが可能である。
【００４７】
上述した実施例１，２の構成にあって、相互に異なる貼付位置は、蛇腹状に折り重ねた状態で、一つ置きの帳票紙片の各貼付位置に貼付したＲＦＩＤラベルが上下方向で全く重ならないように設定されたものであるが、これに限らず、ＲＦＩＤラベルの粘着シートのみが部分的に重なるように、各貼付位置を設定するようにしても良い。この場合にも、蛇腹状に折り重ねた状態で、前後方向の位置関係が互いに同じ向きとなる一つ置きの帳票紙片では、ＲＦＩＤラベルのＲＦＩＤインレットが上下方向で重ならない。そのため、上述した実施例１，２と同様に、該ＲＦＩＤインレットのＩＣチップが受ける圧力を低減でき、該圧力によるＩＣチップの破損を防止するという作用効果が発揮される。さらに、一つ置きの帳票紙片における夫々のＲＦＩＤラベルの貼付位置としては、蛇腹状に折り重ねた状態で該ＲＦＩＤラベルのＩＣチップ同士が上下方向で重ならなければ、ＲＦＩＤインレットのアンテナ同士が部分的に重なるように設定することも可能である。この場合にも、ＩＣチップ同士が上下方向で重ならないことから、該ＩＣチップの破損を防止するという作用効果が発揮され得る。
【００４８】
また、上述した実施例１，２の構成にあっては、ＲＦＩＤラベルを貼付する貼付位置を、前後方向で異なるように設定したものであるが、これに限らず様々に設定することが可能である。例えば、帳票紙片の幅方向で異なる貼付位置を設定することができ、具体的な構成を実施例１の別例として、図１０に示す。この別例の帳票連続紙８１は、一対の第一帳票紙片８５ａ，８５ａと一対の第二帳票紙片８５ｂ，８５ｂとを交互に連続してなるものであり、第一帳票紙片８５ａにはＲＦＩＤラベル１１の貼付位置９１ａが設定され、第二帳票紙片８５ｂにはＲＦＩＤラベル１１の貼付位置９１ｂが設定されている。いずれの貼付位置９１ａ，９１ｂも、該帳票紙片８５ａ，８５ｂを区画する二つのミシン目４，４のうちの、一方のミシン目４寄りにあり、貼付位置９１ａが幅方向で一側端寄りの所定位置に定められ、貼付位置９１ｂが幅方向で反対の側端寄りの所定位置に定められている。この別例の構成にあっても、一つ置きの第一帳票紙片８５ａと第二帳票紙片８５ｂとの相互で、貼付位置９１ａ，９１ｂが異なることから、上述した実施例１と同様に、上下方向で重なるＲＦＩＤラベル１１，１１間に四枚の基材（帳票紙片の紙材）が介在する。したがって、別例の構成にあっても、上述した実施例１と同様の作用効果を奏し得る。
【００４９】
尚、上述したように、ＲＦＩＤラベルを貼付する貼付位置は、適宜設定することが可能である。しかし、ＲＦＩＤラベルの貼付位置を、帳票紙片の前後方向の中央に位置設定した場合には、該中央を貼付位置とした二つの帳票紙片をミシン目を介して隣接しないようにする必要がある。これは、隣接する帳票紙片を折り重ねることにより、前後方向の位置関係が互いに逆向きとなっても、前後方向の中央位置は重なるためである。そのため、上述した実施例１の構成では、ＲＦＩＤラベルの貼付位置を、その帳票紙片の前後方向の中央に設定しない。一方、上述した実施例２の構成では、帳票紙片の前後方向の中央にＲＦＩＤラベルの貼付位置を設定することも可能である。
【００５０】
また、上述した実施例１，２の構成にあっては、ＲＦＩＤラベル１１がＲＦＩＤインレット１２と該ＲＦＩＤインレット１２上に被着された粘着シート１３とを一体化してなる構成であるが、これに限らず、その他の構成のＲＦＩＤラベルを用いることも可能である。例えば、ＲＦＩＤラベルは、実施例と同様のＲＦＩＤインレット上に、該ＲＦＩＤインレットと略同形状の紙片を貼付し、該ＲＦＩＤインレットを構成する合成樹脂製フィルムの裏面に粘着剤が塗布されてなるものとしても良い。かかる構成のＲＦＩＤラベルを用いた場合にも、上述した実施例１，２と同様の作用効果を奏し得る。
【００５１】
また、上述した実施例２の構成にあっては、ＲＦＩＤラベルの貼付位置が相互に異なる三つの帳票紙片を順次連続した組合せを、繰り返し連続するようにしたものであるが、これに限らず、貼付位置が相互に異なる四枚の帳票紙片や、五枚の帳票紙片などを順次連続した組合せを、繰り返し連続するようにしても良い。こうした組合せの帳票紙片の数は、三つ以上で適宜設定可能である。
【００５２】
本発明にあっては、上述した実施例に限定されるものではなく、上述の実施例以外の構成についても本発明の趣旨の範囲内で適宜変更して実施可能である。例えば、帳票連続紙を構成する複数の帳票紙片が、隣合う一対の帳票紙片を一個の帳票として使用するものであり、一つ置きの帳票紙片にＲＦＩＤラベルが貼付される構成にも適用できる。この構成では、ＲＦＩＤラベルが貼付される一つ置きの帳票紙片相互で、該ＲＦＩＤラベルの貼付位置が異なるようにする。
【符号の説明】
【００５３】
１，５１  帳票連続紙
５ａ  第一帳票紙片
５ｂ  第二帳票紙片
１１  ＲＦＩＤラベル
１２  ＲＦＩＤインレット
１３  粘着シート
１５  ＩＣチップ
１６  アンテナ
３１ａ，３１ｂ，６１ａ，６１ｂ，６１ｃ  貼付位置
５５ａ，５５ｂ，５５ｃ  帳票紙片
【図１】
0006475470.tif 000002
【図２】
0006475470.tif 000003
【図３】
0006475470.tif 000004
【図４】
0006475470.tif 000005
【図５】
0006475470.tif 000006
【図６】
0006475470.tif 000007
【図７】
0006475470.tif 000008
【図８】
0006475470.tif 000009
【図９】
0006475470.tif 000010
【図１０】
0006475470.tif 000011
【図１１】
0006475470.tif 000012
【図１２】
0006475470.tif 000013